(57)【要約】【課題】構造の簡略化と使い勝手の向上を図る。【解決手段】光モジュール本体部２のロック用突起部１４が本体収納ケース３の舌片部１７に形成されている本体ロック用貫通孔１５に挿通係止することによって光モジュール本体部２が本体収納ケース３に収納完了している状態をロックする。光モジュール本体部２には、支点部３０を支点にしてシーソー状に可動する可動片３１Ａ，３１Ｂを有するシーソー部材２０と、シーソー部材２０を操作するシーソー部材操作部２１とを設ける。シーソー部材操作部２１を光モジュール本体部２から引き出す方向にスライド移動させると、シーソー部材２０の可動片３１Ｂが降下方向に変位し、可動片３１Ａが上昇方向に変位して舌片部１７を押し上げる。ロック用突起部１４が本体ロック用貫通孔１５から抜け出て光モジュール本体部２のロック状態が解除される。【選択図】図５
2007279509.tif 000002
【特許請求の範囲】
【請求項１】
一端側が光線路の接続端と成し他端側が電気用コネクタ形成端と成し当該電気用コネクタ形成端と光線路の接続端との間に光信号と電気信号との変換を行う光−電気変換部が設けられている光モジュール本体部と、
一端面に設けられた開口部から光モジュール本体部を挿入させて収納する筒状の本体収納ケースと、
を有する光モジュールにおける光モジュール本体部と本体収納ケースのロック構造であって、
本体収納ケースの周壁は、
前記開口部から奥に向けて切り込まれ互いに周回方向に間隔を介して並設された切り欠き部間に形成された弾性変形可能な舌片部と、
この舌片部に形成された本体ロック用貫通孔と、
を有しており、
光モジュール本体部には、当該光モジュール本体部の周面上に配設されている支点部を支点としてシーソー運動するシーソー部材が設けられ、このシーソー部材は、前記支点部から光線路の接続端側に伸長形成されている部位が外側可動片と成し、前記支点部から電気用コネクタ形成端側に伸長形成されている部位が舌片部側可動片と成しており、
また、光モジュール本体部には、
シーソー部材の舌片部側可動片よりも電気用コネクタ形成端側に配設されたロック用突起部と、
シーソー部材の支点部と外側可動片の伸長先端部との間のストローク区間でスライド移動可能に設けられている可動片操作部と当該可動片操作部に接続されている取っ手部とを有するシーソー部材操作部と、
が設けられており、
光モジュール本体部が本体収納ケースに挿入されて収納完了している状態では前記シーソー部材操作部の可動片操作部がシーソー部材の支点部側に位置し前記シーソー部材の舌片部側可動片が光モジュール本体部と本体収納ケースの舌片部との間の隙間に入り込んで前記光モジュール本体部のロック用突起部が本体収納ケースの本体ロック用貫通孔に挿通係止している状態と成して光モジュール本体部が本体収納ケースにロックされており、
このロック状態から前記シーソー部材操作部の可動片操作部をシーソー部材の外側可動片の伸長先端側にスライド移動させた状態では、シーソー部材の舌片部側可動片が本体収納ケースの舌片部を押し上げてロック用突起部を本体ロック用貫通孔から抜け出させてロック用突起部と本体ロック用貫通孔との係止状態が解消されてロックが解除されていることを特徴とする光モジュールのロック構造。
【請求項２】
光モジュール本体部には、シーソー部材操作部のスライド移動をガイドするガイド部が設けられていることを特徴とする請求項１記載の光モジュールのロック構造。
【請求項３】
光モジュール本体部には、シーソー部材操作部の可動片操作部がシーソー部材の支点部側のストローク区間終点位置までスライド移動したときにシーソー部材操作部のスライド移動を停止させ当該停止状態を保持する操作部保持手段が設けられていることを特徴とする請求項１又は請求項２記載の光モジュールのロック構造。
【請求項４】
光モジュール本体部には、シーソー部材操作部のスライド移動を底面部と側面部と上面部とで支持してガイドするガイド壁が設けられており、
シーソー部材操作部はガイド壁側面部に沿う部位を有し、当該部位は下側に凸の折り曲げ部を持つ形状と成し、シーソー部材操作部の可動片操作部はスライド移動方向の前端部に設けられ、取っ手部はスライド移動方向の後端側に設けられており、
光モジュール本体部は、シーソー部材操作部がガイド壁にガイドされて可動片操作部がシーソー部材の支点部側のストローク区間終点位置までスライド移動したときにシーソー部材操作部の取っ手部を係止する取っ手部係止部と、シーソー部材操作部の可動片操作部を係止する前端部係止部と、シーソー部材操作部の側部の前記折り曲げ部を係止する折り曲げ部係止部とを有して、三点支持によりシーソー部材操作部の停止状態を保持することを特徴とする請求項１記載の光モジュールのロック構造。
【発明の詳細な説明】
【技術分野】
【０００１】
本発明は、光信号と電気信号との変換を行う光−電気変換機能が内蔵されている光モジュールのロック構造に関するものである。
【背景技術】
【０００２】
図８には光モジュールの一つが模式的な分解状態により示されている。図８に示される光モジュール１は、ＳＦＰ（Small-Form-Pluggable）と呼ばれるものであり、ＭＳＡ（Multi-Source-Agreement）の規格に基づいて作製される。当該光モジュール１は、光モジュール本体部２と、この光モジュール本体部２を収容する本体収納ケースであるケージ３と、電気用外部接続部材４とを有して構成されている。
【０００３】
光モジュール本体部２は、図９の側面図に示されるような回路基板６を有し、この回路基板６には、光信号を電気信号に変換する機能と、電気信号を光信号に変換する機能との両方又は一方の機能を備えた光−電気変換部であるサブモジュール７が設けられ、また、回路基板６には、サブモジュール７と電気的に接続されている電気回路が形成されている。
【０００４】
光モジュール本体部２は、回路基板６とサブモジュール７を筐体８内に収容した態様と成し、外観は直方体状と成している。この光モジュール本体部２の一端側は光線路の接続端であり、当該光モジュール本体部２の光線路の接続端にはサブモジュール７を外部に光接続させるための光コネクタ１０が設けられている。光コネクタ１０は、一般的なＳＣコネクタやＭＵコネクタやＬＣコネクタにコネクタ接続することができる形態と成している。
【０００５】
また、光モジュール本体部２の他端側（つまり、光線路の接続端とは反対側の端部側）は電気用の接続端と成し、当該電気用の接続端においては、筐体８に設けられた開口部から回路基板６が露出しており、電気用外部接続部材４の図９に示されるような基板挟持部１１がその露出している回路基板６の端部を挟持する構成と成している。電気用外部接続部材４の基板挟持部１１により挟持される回路基板６の端部には、回路基板６の表面と裏面の両方又は一方に、回路基板６に形成されている電気回路の外部接続部としての電極パッドが形成されており、電気用外部接続部材４の導体から成る基板挟持部１１がその回路基板６の電極パッドに接触接続することにより、回路基板６の電気回路は、電気用外部接続部材４に電気的に接続することができる。
【０００６】
電気用外部接続部材４は、例えばマザー基板１２に実装されてマザー基板１２に形成されている回路に電気的に接続され、光モジュール本体部２の回路基板６の電気回路と、マザー基板１２の回路とを電気的に接続させる構成を備えている。なお、回路基板６の電気回路の外部接続部としての電極パッドが形成され電気用外部接続部材４の基板挟持部１１により挟み込まれる回路基板６の端部は、エッジコネクタと呼ばれている。
【０００７】
ケージ３は筒状の金属により構成され、マザー基板１２に実装された電気用外部接続部材４を収容した状態でマザー基板１２に取り付けられる。ケージ３がマザー基板１２に取り付けられた後に、当該ケージ３の筒孔の一端側の開口部１３から例えば図８の矢印ａ方向に沿って光モジュール本体部２がケージ３の内部に挿入され、光モジュール本体部２は、回路基板６の端部（エッジコネクタ）と電気用外部接続部材４の基板挟持部１１とが接続している状態でケージ３内に収容される。
【０００８】
ケージ３は、光モジュール本体部２の挿入時に光モジュール本体部２のエッジコネクタと電気用外部接続部材４の基板挟持部１１とが確実に接続するように光モジュール本体部２をガイドする機能と、光モジュール本体部２のエッジコネクタと電気用外部接続部材４の基板挟持部１１との接続状態を維持すべく光モジュール本体部２をロックする機能とを備えている。光モジュール本体部２をケージ３にロックするために、ケージ３には、図１０（ｂ）に示されるように、光モジュール本体部２の挿入口である開口部１３側の周壁部位に本体ロック用貫通孔１５が設けられている。また、光モジュール本体部２には、図１０（ａ）の簡略的な断面図に示されるようなロック用突起部１４が設けられている。このロック用突起部１４は、光モジュール本体部２がケージ３に収容完了した状態でケージ３の本体ロック用貫通孔１５に挿通係止する位置に配設されている。さらに、ケージ３の内部には、光モジュール本体部２に弾性力を加える弾性部材１６が設けられている。この弾性部材１６は、光モジュール本体部２のロック用突起部１４がケージ３の本体ロック用貫通孔１５に挿通している状態で光モジュール本体部２に図１０（ａ）に示す矢印Ａ方向の弾性力を加えてロック用突起部１４を本体ロック用貫通孔１５の内壁面に押し付けて係止させるものである。
【０００９】
光モジュール本体部２がケージ３の内部に差し込まれ当該光モジュール本体部２のエッジコネクタが電気用外部接続部材４の基板挟持部１１に接続した状態で、光モジュール本体部２のロック用突起部１４がケージ３の本体ロック用貫通孔１５に挿通係止することによって、光モジュール本体部２はケージ３に位置決め固定（ロック）されて、光モジュール本体部２のエッジコネクタが電気用外部接続部材４の基板挟持部１１に接続している状態を維持することができる。
【００１０】
【特許文献１】特開２００４−３０９５７６号公報
【特許文献２】国際公開第２００３／０６０５８３号パンフレット
【発明の開示】
【発明が解決しようとする課題】
【００１１】
ところで、ケージ３に収納されている光モジュール本体部２を他の光モジュール本体部２に取り替えることが有る。このような場合を考慮して、光モジュール本体部２のロック用突起部１４と、ケージ３の本体ロック用貫通孔１５との係止状態を容易に解消させるための構成が備えられていることが多い。そのようなロック用突起部１４と本体ロック用貫通孔１５による光モジュール本体部２のロックおよびそのロック解除を行うことができる構成は様々に提案されている（例えば特許文献１，２参照）。しかしながら、それら提案のものは、構造が複雑であったり、部品点数が多かったり、使い勝手が悪いというような問題があり、満足のいくものではなかった。
【００１２】
本発明の目的は、簡単な構造で部品点数が少なく、また、使い勝手が良い光モジュールのロック構造を提供することにある。
【課題を解決するための手段】
【００１３】
上記目的を達成するために、この発明は次に示す構成をもって前記課題を解決するための手段としている。すなわち、この発明は、一端側が光線路の接続端と成し他端側が電気用コネクタ形成端と成し当該電気用コネクタ形成端と光線路の接続端との間に光信号と電気信号との変換を行う光−電気変換部が設けられている光モジュール本体部と、
一端面に設けられた開口部から光モジュール本体部を挿入させて収納する筒状の本体収納ケースと、
を有する光モジュールにおける光モジュール本体部と本体収納ケースのロック構造であって、
本体収納ケースの周壁は、
前記開口部から奥に向けて切り込まれ互いに周回方向に間隔を介して並設された切り欠き部間に形成された弾性変形可能な舌片部と、
この舌片部に形成された本体ロック用貫通孔と、
を有しており、
光モジュール本体部には、当該光モジュール本体部の周面上に配設されている支点部を支点としてシーソー運動するシーソー部材が設けられ、このシーソー部材は、前記支点部から光線路の接続端側に伸長形成されている部位が外側可動片と成し、前記支点部から電気用コネクタ形成端側に伸長形成されている部位が舌片部側可動片と成しており、
また、光モジュール本体部には、
シーソー部材の舌片部側可動片よりも電気用コネクタ形成端側に配設されたロック用突起部と、
シーソー部材の支点部と外側可動片の伸長先端部との間のストローク区間でスライド移動可能に設けられている可動片操作部と当該可動片操作部に接続されている取っ手部とを有するシーソー部材操作部と、
が設けられており、
光モジュール本体部が本体収納ケースに挿入されて収納完了している状態では前記シーソー部材操作部の可動片操作部がシーソー部材の支点部側に位置し前記シーソー部材の舌片部側可動片が光モジュール本体部と本体収納ケースの舌片部との間の隙間に入り込んで前記光モジュール本体部のロック用突起部が本体収納ケースの本体ロック用貫通孔に挿通係止している状態と成して光モジュール本体部が本体収納ケースにロックされており、
このロック状態から前記シーソー部材操作部の可動片操作部をシーソー部材の外側可動片の伸長先端側にスライド移動させた状態では、シーソー部材の舌片部側可動片が本体収納ケースの舌片部を押し上げてロック用突起部を本体ロック用貫通孔から抜け出させてロック用突起部と本体ロック用貫通孔との係止状態が解消されてロックが解除されていることを特徴としている。
【発明の効果】
【００１４】
この発明によれば、光モジュール本体部にシーソー部材をシーソー状に可動可能に設けると共に、シーソー部材操作部をスライド移動可能に設けるだけで、光モジュール本体部のロック解除のための構成を構築できるので、光モジュールのロック構造の簡略化および部品点数の削減を図ることができる。また、この発明の光モジュールのロック構造は、上記のように構造が簡単であることから、壊れ難い。このため、光モジュールの耐久性に対する信頼性を高めることができる。
【００１５】
さらに、この発明の構成では、光モジュール本体部のロック状態を解除するためのシーソー部材操作部のスライド操作方向（つまり、シーソー部材の支点部側から外側可動片の伸長先端側に向かう方向）が、本体収納ケースから光モジュール本体部を抜き出す方向と同じ方向である。このため、シーソー部材操作部をロック解除方向にスライド移動することにより、光モジュール本体部のロック解除から、光モジュール本体部を本体収納ケースから抜き出すまでの一連の動作を連続的に行うことが可能となる。これにより、使い勝手の良い光モジュールのロック構造を提供することができる。
【００１６】
さらに、光モジュール本体部にシーソー部材操作部のスライド移動用のガイド部が設けられていることによって、シーソー部材操作部のスライド移動が円滑に行えることとなり、より一層使い勝手を向上させることができる。
【００１７】
さらに、光モジュール本体部に操作部保持手段が設けられ、シーソー部材操作部がシーソー部材の支点部側のストローク区間終点位置まで前進方向にスライド移動したときに、その操作部保持手段によって、シーソー部材操作部のスライド移動を停止させ当該停止状態が保持される構成を備えることによって、次に示すような効果を得ることができる。つまり、シーソー部材操作部がシーソー部材の支点部側のストローク区間終点位置まで前進方向にスライド移動したときにはシーソー部材による本体収納ケースの舌片部の押し上げが無い状態となるように設計することによって、シーソー部材操作部が前進方向にストローク区間終点位置までスライド移動したときには光モジュール本体部のロック用突起部が本体収納ケースの舌片部の本体ロック用貫通孔に挿通係止して光モジュール本体部を本体収納ケースにロックすることができる。この光モジュール本体部のロック状態を継続しなければならないのにも拘わらず、シーソー部材操作部が後退方向（シーソー部材の支点部側から外側可動片の伸長先端側に向かう方向）にスライド移動してしまうと、シーソー部材が無用に可動して本体収納ケースの舌片部を押し上げて光モジュール本体部のロック状態が解除されてしまう。これに対して、操作部保持手段が設けられて、シーソー部材操作部が前進方向にストローク区間終点位置に配置されている状態が保持固定されることによって、シーソー部材操作部が安易に後退方向にスライド移動してしまうことを防止でき、これにより、光モジュール本体部のロック状態が誤って解除されてしまうという問題の発生を回避することができる。
【００１８】
光モジュール本体部は、シーソー部材操作部が前進方向にストローク区間終点位置までスライド移動したときにシーソー部材操作部の取っ手部を係止する取っ手部係止部と、シーソー部材操作部の前端部である可動片操作部を係止する前端部係止部と、シーソー部材操作部の側部の折り曲げ部を係止する折り曲げ部係止部とを有して、三点支持によりシーソー部材操作部の停止状態を保持する構成を備えることによって、簡単な構成でもって前進方向のストローク区間終点位置でシーソー部材操作部を停止させ保持することができる。また、光モジュール本体部のロック状態を継続しなければならないのにも拘わらず、シーソー部材操作部の後退方向の無用なスライド移動に起因して光モジュール本体部のロック状態が誤って解除されてしまうという問題を回避することができる。
【発明を実施するための最良の形態】
【００１９】
以下に、この発明に係る実施形態例を図面に基づいて説明する。なお、以下に述べる実施形態例の説明において、図８〜図１０に示される光モジュールに関わる構成と同一構成部分には同一符号を付し、その共通部分の重複説明は省略する。
【００２０】
この実施形態例は光モジュール本体部を本体収納ケースに収納固定するロック構造に関するものであり、図１（ａ）には、この実施形態例の光モジュールのロック構造を構成する光モジュール本体部が表面側から見た模式的な斜視図により示され、図１（ｂ）には図１（ａ）の光モジュール本体部が裏面側から見た模式的な斜視図により示されている。また、図２（ａ）には図１（ｂ）に示されている光モジュール本体部の裏面側における光線路の接続端側の構成例が分解状態により示されている。
【００２１】
この実施形態例では、図１や図２に示される光モジュール本体部２が収納される本体収納ケースであるケージ３は、図８に示されるような筒状と成し、このケージ３は、その筒孔の一端側の光モジュール本体部挿入口の開口部から光モジュール本体部２の光線路の接続端側を突出させた態様でもって光モジュール本体部２を収納する構成となっている。このケージ３には、図１０（ｂ）に示されるように、光モジュール本体部挿入口の開口部１３側の周壁部位に、開口部１３から奥に向けて切り込まれた２つの切り込み部１９が互いに周回方向に間隔を介して並設され、当該切り込み部１９間には、開口部１３側を自由端とした弾性変形可能な舌片部１７が形成され、この舌片部１７に本体ロック用貫通孔１５が形成されている。
【００２２】
図１（ａ）、（ｂ）に示されるように、光モジュール本体部２の光線路の接続端側には光コネクタ１０が形成されている。この実施形態例では、２つの光コネクタ１０が並設されており、それら光コネクタ１０のうちの一つは送信側（つまり、光モジュール本体部２内で電気信号から変換された光信号を送信する側）の光コネクタと成し、他方側の光コネクタ１０は受信側（つまり、光モジュール本体部２に向けて送信されてきた光信号を受信する側）の光コネクタと成している。また、この実施形態例では、光モジュール本体部２の電気用の接続端側（電気用コネクタ形成端側）にはエッジコネクタ１８が形成されている。さらに、光モジュール本体部２の裏面側には、光線路の接続端側にロック用突起部１４が固設されている。このロック用突起部１４の形成位置は、光モジュール本体部２がケージ３に収納完了した状態でロック用突起部１４がケージ３の本体ロック用貫通孔１５に挿通係止する位置となっている。
【００２３】
さらにまた、光モジュール本体部２の裏面側には、そのロック用突起部１４よりも光線路の接続端寄りの位置に、シーソー部材２０と、シーソー部材操作部２１と、スライド移動機構部２２と、シーソー部材保持部２３とが設けられている（例えば図２（ａ）参照）。すなわち、図３（ａ）には図２（ａ）のＡ−Ａ部分の断面およびその位置よりもロック用突起部１４側の光モジュール本体部部位の模式的な斜視図が示されている。この図３（ａ）や図２（ａ）に示されるように、この実施形態例では、光モジュール本体部２の裏面側の両側の側縁部には、それぞれ、光線路の接続端からロック用突起部１４の形成領域に至る手前までの領域に、ガイド壁２５が設けられている。このガイド壁２５は、光モジュール本体部２の裏面に対して立設されている側壁部２５Ａと、この側壁部２５Ａの上部から内向きに張り出し形成されている鍔壁部２５Ｂとを有して構成されている。また、光モジュール本体部２の裏面側には、ロック用突起部１４よりも光線路の接続端側の部位に、シーソー部材位置決め保持用の突起部２７Ａ，２７Ｂが互いに光モジュール本体部２の長手方向（換言すれば、ケージ３に対する光モジュール本体部２の進退方向）に間隔を介して配列配置されている。さらに、光モジュール本体部２の裏面側の光線路の接続端部には、両側の側縁部のガイド壁２５の鍔壁部２５Ｂ間を接続する態様の梁部２８が設けられている。この梁部２８には、抜け止め部２９が図２（ａ）に示される下方側に向けて伸長形成されていると共に、取っ手部係止部３３が光モジュール本体部２の光線路の接続端よりも外側に向かう方向に突出形成されている。さらに、両側の側縁部に設けられている各ガイド壁２５の光線路の接続端側から、それぞれ、ぶれ防止用壁部３４が光モジュール本体部２の光線路の接続端よりも外側に向かう方向に突出形成されている。
【００２４】
この実施形態例では、ガイド壁２５と梁部２８と抜け止め部２９と取っ手部係止部３３とぶれ防止用壁部３４によって、後述するシーソー部材操作部２１をスライド移動させるためのスライド移動機構部２２が構成されている。また、ガイド壁２５と突起部２７Ａ，２７Ｂとによって、次に述べるシーソー部材２０を保持するシーソー部材保持部２３が構成されている。
【００２５】
シーソー部材２０は、棒状の支点部３０と、この支点部３０の両側に一体的に設けられている可動片３１Ａ，３１Ｂとを有して構成されている。図３（ｂ）にはシーソー部材２０がシーソー部材保持部２３に保持されている状態の一例が模式的に示されている。また、図４（ａ）、（ｂ）には図１（ｂ）のＢ−Ｂ部分の模式的な断面図が示されている。つまり、この実施形態例では、シーソー部材２０は、支点部３０の両端側３０ａ，３０ｂが、それぞれ、ガイド壁２５の鍔壁部２５Ｂと、光モジュール本体部２の裏面との間の隙間Ｓに配置されて当該鍔壁部２５Ｂと光モジュール本体部２の裏面とによって挟持され、かつ、支点部３０の周面部が突起部２７Ａ，２７Ｂ間の間隙に嵌った状態で、光モジュール本体部２のシーソー部材保持部２３に位置決め保持される。シーソー部材２０がそのような状態で保持されることによって、シーソー部材２０の可動片３１Ａ，３１Ｂは、支点部３０を支点にしてシーソー状に可動することができる構成となっている。つまり、図４（ａ）に示されるように、可動片３１Ｂが光モジュール本体部２に近付く方向（降下方向）に変位したときには、可動片３１Ａは支点部３０を支点にして光モジュール本体部２から離れる方向（上昇方向）に変位する。また、図４（ｂ）に示されるように、可動片３１Ｂが上昇方向に変位したときには可動片３１Ａは支点部３０を支点にして降下方向に変位する。
【００２６】
この実施形態例では、図５（ａ）の模式的な断面図に示されるように、シーソー部材２０の可動片３１Ａは、光モジュール本体部２がケージ３に収納完了した状態（つまり、光モジュール本体部２のロック用突起部１４がケージ３の本体ロック用貫通孔１５に挿通係止している状態）で光モジュール本体部２とケージ３の舌片部１７との間の隙間に入り込む位置に配設されるものであり、当該可動片３１Ａは舌片部側可動片と成している。また、可動片３１Ｂは、光モジュール本体部２がケージ３に収納完了した状態でケージ３の外側に配置される位置に配設されるものであり、当該可動片３１Ｂは外側可動片と成している。
【００２７】
図２（ｂ）には図２（ａ）に示されるシーソー部材２０を裏側から見た形態例が示されている。この実施形態例では、可動片３１Ａ，３１Ｂのそれぞれの裏面側の周縁部には強度強化用のリブ３２が設けられている。
【００２８】
この実施形態例では、シーソー部材操作部２１は、図２（ａ）に示されるように、取っ手部３６と、この取っ手部３６と間隔を介して配置される可動片操作部（シーソー部材操作部の前端部）３７と、取っ手部３６と可動片操作部３７とを接続している連結部（シーソー部材操作部の側部）３８とを有して構成されており、リング形状と成している。取っ手部３６は、例えば樹脂材料により構成されており、その表面は指等が滑り難い状態となっている。可動片操作部３７および連結部３８は、ステンレス等の強度の強い線状部材により構成されており、可動片操作部３７の両端側にそれぞれ連結部３８の一端側が連接され、各連結部３８の他端側には共通の取っ手部３６が取り付けられている。各連結部３８は、それぞれ、下側に凸の折り曲げ部３８Ｋを持つ形状と成し、これら連結部３８は光モジュール本体部２の長手方向に直交する幅方向に間隔を介して並設されている。各連結部３８間の間隔は光モジュール本体部２の両側のガイド壁２５間の間隔よりも僅かに狭い寸法となっており、図６のモデル図に示されるように、シーソー部材操作部２１は、各連結部３８をそれぞれガイド壁２５の側壁部２５Ａの壁面に添わせる態様でもって両側のガイド壁２５間に配置される。また、シーソー部材操作部２１は、各連結部３８がそれぞれガイド壁２５の側壁部２５Ａの壁面にガイドされて、光モジュール本体部２の長手方向（ケージ３に対する光モジュール本体部２の進退方向）にスライド移動可能となっている。つまり、ガイド壁２５は、光モジュール本体部２の裏面（底面部）と側壁部（側面部）２５Ａと鍔壁部（上面部）２５Ｂとでシーソー部材操作部２１のスライド移動を支持するものである。
【００２９】
この実施形態例では、シーソー部材操作部２１の可動片操作部３７はシーソー部材２０の外側可動片３１Ｂの上面上に載置され、シーソー部材操作部２１の取っ手部３６による操作によって外側可動片３１Ｂの上面上を摺動（スライド移動）しながら、外側可動片３１Ｂに押圧力を加えて外側可動片３１Ｂを支点部３０を支点にして次のように可動させるものである。つまり、ケージ３に対する光モジュール本体部２の前進方向にシーソー部材操作部２１がスライド移動するときには、可動片操作部３７はシーソー部材２０の外側可動片３１Ｂを光モジュール本体部２の裏面から離れる上昇方向に可動変位させる。また、ケージ３に対する光モジュール本体部２の後退方向にシーソー部材操作部２１がスライド移動するときには、可動片操作部３７は外側可動片３１Ｂを光モジュール本体部２の裏面に近付ける降下方向に可動変位させる。
【００３０】
この実施形態例では、例えば図５（ａ）に示されるように、シーソー部材２０の支点部３０と外側可動片３１Ｂとの連接部に操作部係止部４０が設けられている。この操作部係止部４０は、シーソー部材操作部２１の可動片操作部３７を係止させてシーソー部材操作部２１の前進方向のスライド移動を停止させるものである。また、光モジュール本体部２の光線路の接続端部には、前述したように、抜け止め部２９が設けられており、この抜け止め部２９にシーソー部材操作部２１の可動片操作部３７が例えば図５（ｂ）に示されるように係止してシーソー部材操作部２１の後退方向のスライド移動が停止する。つまり、この実施形態例では、シーソー部材操作部２１の可動片操作部３７は、抜け止め部２９に係止する位置と、操作部係止部４０に係止する位置との間（換言すれば、支点部３０と外側可動片３１Ｂの伸長先端側との間）のストローク区間でスライド移動可能となっている。
【００３１】
また、この実施形態例では、シーソー部材操作部２１が前進方向にストローク区間終点位置（つまり、可動片操作部３７が操作部係止部４０に係止する位置）までスライド移動したときには、図５（ａ）に示されるように、シーソー部材操作部２１の取っ手部３６が取っ手部係止部３３に係止し、かつ、シーソー部材操作部２１の連結部３８の折り曲げ部３８Ｋが光モジュール本体部２の裏面に係止し、かつ、シーソー部材操作部２１の可動片操作部３７が操作部係止部４０およびガイド壁２５の鍔壁部２５Ｂに係止している状態となっており、シーソー部材操作部２１は三点支持によって停止状態が保持される。すなわち、この実施形態例では、光モジュール本体部２の裏面が連結部（側部）３８の折り曲げ部３８Ｋを係止する折り曲げ部係止部と成し、操作部係止部４０および鍔壁部２５Ｂが可動片操作部（前端部）３７の係止部（前端部係止部）と成している。それら折り曲げ部係止部と前端部係止部と、取っ手部係止部３３とによって、シーソー部材操作部２１が前進方向にストローク区間終点位置までスライド移動したときにシーソー部材操作部２１のスライド移動を停止させ当該停止状態を保持する操作部保持手段が構成されている。
【００３２】
さらに、この実施形態例では、前述したように、光モジュール本体部２の両側縁部のガイド壁２５から光線路の接続端よりも外側に突出する方向に、ぶれ防止用壁部３４が伸張形成されている。シーソー部材操作部２１が後退方向にスライド移動しているときに、ぶれ防止用壁部３４によって、シーソー部材操作部２１における光モジュール本体部２の幅方向のがたつきが抑制されており、シーソー部材操作部２１のスライド移動のより一層の円滑化が図られている。
【００３３】
なお、この実施形態例では、図７（ａ）の模式的な斜視図に示されるように、光モジュール本体部２の裏面２ｒと、抜け止め部２９との間に間隙４１が設けられている。この間隙４１の寸法Ｈは、シーソー部材操作部２１の可動片操作部３７が間隙４１を通り抜けることが可能な大きさとなっている。その間隙４１を利用して、シーソー部材操作部２１およびシーソー部材２０を次に示すように光モジュール本体部２に取り付けることができる。例えば、まず、図７（ｂ）の模式的な断面図に示されるように、シーソー部材操作部２１の可動片操作部３７を外側から間隙４１を通してガイド壁２５の形成領域に入り込ませる。次に、図７（ｃ）に示されるように、シーソー部材２０の外側可動片３１Ｂを可動片操作部３７にくぐらせて外側可動片３１Ｂをガイド壁２５の形成領域に入り込ませ、シーソー部材２０の支持部３０の両端部３０ａ，３０ｂをガイド壁２５の鍔壁部２５Ｂと光モジュール本体部２の裏面とによって保持させると共に支点部３０の周面部を突起部２７Ａ，２７Ｂ間の間隙に位置決め配置させて図７（ｄ）に示されるようにシーソー部材２０を光モジュール本体部２に取り付ける。このようにシーソー部材２０を光モジュール本体部２に取り付けることによって、シーソー部材２０の外側可動片３１Ｂと、抜け止め部２９とにより、シーソー部材操作部２１の可動片操作部３７が前記間隙４１を通って外部に抜け出ない状態となる。
【００３４】
この実施形態例において特有な光モジュールのロック構造は上記のように構成されている。この実施形態例では、例えば、図５（ａ）に示されるように、光モジュール本体部２がケージ３の内部に収納され、また、シーソー部材操作部２１が前進方向にストローク区間終点位置までスライド移動して停止して当該停止状態が保持されシーソー部材２０の舌片部側可動片３１Ａが光モジュール本体部２の裏面に添っている状態となって、光モジュール本体部２のロック用突起部１４がケージ３の本体ロック用貫通孔１５に挿通係止することによって、光モジュール本体部２をケージ３にロックさせることができる。このような状態から、図５（ｂ）に示されるように、シーソー部材操作部２１を後退方向にスライド移動させることにより、シーソー部材操作部２１の可動片操作部３７がシーソー部材２０の外側可動片３１Ｂへ押圧力を加えながら後退方向に移動する。これにより、外側可動片３１Ｂが支点部３０を支点にして光モジュール本体部２の裏面に近付く降下方向に変位し、この外側可動片３１Ｂの可動に伴って舌片部側可動片３１Ａが光モジュール本体部２から離れる上昇方向に変位してケージ３の舌片部１７を押し上げる。この舌片部１７の押し上げによって、光モジュール本体部２のロック用突起部１４がケージ３の舌片部１７の本体ロック用貫通孔１５から抜け出てロック用突起部１４と本体ロック用貫通孔１５の係止状態が解消されて光モジュール本体部２のロック状態が解除される。これにより、光モジュール本体部２をケージ３から容易に抜き出すことができる。
【００３５】
なお、この発明はこの実施形態例の形態に限定されるものではなく、様々な実施の形態を採り得る。例えば、この実施形態例では、シーソー部材操作部２１はリング形状と成していたが、シーソー部材操作部はシーソー部材２０のシーソー状の可動を操作できる構成を備えていれば、その形状は特に限定されるものではなく、様々な形態を採り得るものである。
【００３６】
また、この実施形態例では、シーソー部材２０の支点部３０を位置決め配設させるための突起部２７Ａ，２７Ｂが形成されていたが、例えば、支点部３０の底部側が嵌まる凹部を設け当該凹部に支点部３０を位置決め配設する構成としてもよい。
【００３７】
さらに、この実施形態例では、光モジュール本体部２の光線路の接続端側には２つの光コネクタ１０が並設されていたが、光モジュール本体部２の光線路の接続端側に設ける光コネクタ１０の形成数は限定されるものではなく、１つでもよいし、３つ以上でもよい。
【図面の簡単な説明】
【００３８】
【図１】本発明に係る光モジュールのロック構造の一実施形態例を構成する光モジュール本体部の一形態例を説明するためのモデル図である。
【図２】図１の光モジュール本体部の光線路の接続端側における裏面側の構造例を説明するための模式的な分解図である。
【図３】図１の光モジュール本体部におけるシーソー部材の取り付け構成例を説明するための図である。
【図４】シーソー部材の可動状態例を表したモデル図である。
【図５】シーソー部材操作部によるシーソー部材の可動操作例を説明するための図である。
【図６】シーソー部材操作部のスライド移動の状態例を説明するための図である。
【図７】シーソー部材とシーソー部材操作部を光モジュール本体部に取り付ける作業例を説明するための図である。
【図８】光モジュールの一構成例を説明するための図である。
【図９】光モジュール本体部に内蔵されている回路基板と、電気用外部接続部材との接続状態例を模式的に表した図である。
【図１０】光モジュール本体部がケージに収容されている状態の一例を説明するための図である。
【符号の説明】
【００３９】
１  光モジュール
２  光モジュール本体部
３  ケージ
１４  ロック用突起部
１５  本体ロック用貫通孔
１７  舌片部
２０  シーソー部材
２１  シーソー部材操作部
２５  ガイド壁
３０  支点部
３１Ａ  舌片部側可動片
３１Ｂ  外側可動片
３３  取っ手部係止部
３６  取っ手部
３７  可動片操作部
【図１】
2007279509.tif 000003
【図２】
2007279509.tif 000004
【図３】
2007279509.tif 000005
【図４】
2007279509.tif 000006
【図５】
2007279509.tif 000007
【図６】
2007279509.tif 000008
【図７】
2007279509.tif 000009
【図８】
2007279509.tif 000010
【図９】
2007279509.tif 000011
【図１０】
2007279509.tif 000012